(57)【要約】【課題】  内槽の内部に設けられた突起部から排出された洗濯水あるいはすすぎ水を、洗濯工程で利用することが可能な電気洗濯機を提供する。【解決手段】  ドラム式の電気洗濯機において、ドラム槽１００は、その回転に伴って衣類を上方へ持ち上げる突起部２００を内部に備え、突起部２００は、その左右側面に形成され、ドラム槽の回転時に内部に水を給水する給水部２１０と、その上面に形成され、ドラム槽１００の回転時に内部から水を排水する排水部２２０とを備えるとともに、その内部を２室に仕切る仕切板２３０を備え、給水部２１０は、突起部２００の左右側面に形成された帯状の溝部２１１と、この溝部２１１に形成された複数の給水穴２１２とを備え、排水部２２０は、突起部２００の上面に配置された複数の小穴を、突起部２００の長手方向に沿って直線状に配置された２つの小穴列２２１で構成され、小穴列２２１は、互い違いに配置され、仕切板２３０は、互い違いに配置された小穴列を左右に分けるように配置されている。【選択図】  図４
2013074964.tif 000002
【特許請求の範囲】
【請求項１】
筐体内に回転軸をほぼ水平にするドラム槽を備え、このドラム槽に衣類を出し入れする衣類投入口を前記筐体の前面に備えたドラム式の電気洗濯機において、
前記ドラム槽は、その回転に伴って前記衣類を上方へ持ち上げる突起部を内部に備え、
前記突起部は、その左右側面に形成され、前記ドラム槽の回転時に内部に水を給水する給水部と、その上面に形成され、前記ドラム槽の回転時に内部から水を排水する排水部とを備えるとともに、その内部を２室に仕切る仕切板を備え、
前記給水部は、前記突起部の左右側面に形成された帯状の溝部と、この溝部に形成された複数の給水穴とを備え、
前記排水部は、前記突起部の上面に配置された複数の小穴を、前記突起部の長手方向に沿って直線状に配置された２つの小穴列で構成され、
前記小穴列は、互い違いに配置され、
前記仕切板は、互い違いに配置された前記小穴列を左右に分けるように配置されている
ことを特徴とする電気洗濯機。
【請求項２】
請求項１に記載の電気洗濯機において、
前記仕切板は、波形に形成されている
ことを特徴とする電気洗濯機。
【請求項３】
請求項１または請求項２に記載の電気洗濯機において、
前記小穴列は、左右並列に配置されている
ことを特報とする電気洗濯機。
【請求項４】
請求項１または請求項２に記載の電気洗濯機において、
前記小穴は、前記突起部の上面に配置された複数のトラック状の小穴で形成され、
前記トラック状の小穴は、前記突起部の長手方向に沿って１列に配置され、
前記仕切板は、１列に配置された前記トラック状の小穴を左右に分けるように配置されている
ことを特徴とする電気洗濯機。
【発明の詳細な説明】
【技術分野】
【０００１】
本発明は、筐体内に回転軸をほぼ水平位置に配置した円筒形状のドラム槽を備えたドラム式洗濯機に関するものである。
【背景技術】
【０００２】
従来のドラム式と呼ばれる電気洗濯機は、筐体内に回転軸をほぼ水平位置に配置した円筒形状のドラム槽と、筐体前面に配置され、ドラム槽に衣類を出し入れする衣類投入口とを備え、衣類投入口から投入された衣類を、ドラム槽を回転させながら洗浄、すすぎ、脱水等の洗濯工程を経て洗濯を行うことが一般的である。
【０００３】
このようなドラム式洗濯機では、上記洗濯工程において発生する糸くず等が洗濯物に再付着して洗浄力やすすぎ能力を低下させることがある。
【０００４】
上記洗濯工程で発生した糸くず等を洗濯物に再付着させないための技術として、例えば、特許文献１や特許文献２に記載されているように、ドラム槽の内側に配置されたバッフルあるいはリフターと呼ばれる突起部にフィルターを設け、このフィルターにより糸くず等を除去する技術が知られている。
【先行技術文献】
【特許文献】
【０００５】
【特許文献１】実開平４−９３０８６号公報
【特許文献２】特開２０１１−７８４８３号公報
【発明の概要】
【発明が解決しようとする課題】
【０００６】
上記特許文献１には、中空状に形成されたバッフルの内部に案内板を設けると共に、バッフルの上面にフィルターを設ける技術が開示されている。そして、ドラム槽を回転させることにより、案内板を介してバッフル内に洗濯水あるいはすすぎ水を取り込み、フィルターを通過させることにより、洗濯水あるいはすすぎ水からリント（糸くず）を取り除き、糸くずが取り除かれた洗濯水あるいはすすぎ水が排水されるようになっている。
【０００７】
また、上記特許文献２には、中空状に形成されたバッフルの内部を仕切部により２室に仕切ると共に、各室の形状及び大きさに合わせてフィルターを出し入れ可能に収納する技術が開示されている。そして、ドラム槽を回転させると、バッフル側面に形成された入水口から洗濯水あるいはすすぎ水をバッフル内部に取り込み、フィルターを通過させることにより、洗濯水からリント（糸くず）を取り除き、糸くずが取り除かれた洗濯水あるいはすすぎ水が排水されるようになっている。
【０００８】
一方、ドラム式洗濯機においては、省エネや節水の観点から、バッフルから排水される洗濯水あるいはすすぎ水を、洗濯工程で利用することも検討されている。
【０００９】
しかしながら、上記特許文献１及び特許文献２の技術は、洗濯工程において発生した糸くず等をフィルターを通して取り除くことを目的とするものであり、バッフルから排水される洗濯水あるいはすすぎ水を洗濯工程で利用することについては配慮されていない。
【００１０】
本発明は、上記課題を解決するためになされたものであり、バッフルあるいはリフターと呼ばれる突起部から排水される洗濯水あるいはすすぎ水を、洗濯工程で利用することが可能な電気洗濯機を提供することにある。
【課題を解決するための手段】
【００１１】
前記目的を達成するために、本発明に係る電気洗濯機は、筐体内に回転軸をほぼ水平にするドラム槽を備え、このドラム槽に衣類を出し入れする衣類投入口を前記筐体の前面に備えたドラム式の電気洗濯機において、前記ドラム槽は、その回転に伴って前記衣類を上方へ持ち上げる突起部を内部に備え、前記突起部は、その左右側面に形成され、前記ドラム槽の回転時に内部に水を給水する給水部と、その上面に形成され、前記ドラム槽の回転時に内部から水を排水する排水部とを備えるとともに、その内部を２室に仕切る仕切板を備え、前記給水部は、前記突起部の左右側面に形成された帯状の溝部と、この溝部に形成された複数の給水穴とを備え、前記排水部は、前記突起部の上面に配置された複数の小穴を、前記突起部の長手方向に沿って直線状に配置された２つの小穴列で構成され、前記小穴列は、互い違いに配置され、前記仕切板は、互い違いに配置された前記小穴列を左右に分けるように配置されるようにする。
【発明の効果】
【００１２】
本発明によれば、バッフルあるいはリフターと呼ばれる突起部の内部から排水される洗濯水あるいはすすぎ水を、洗濯工程で利用することが可能な電気洗濯機を提供することができる。
【図面の簡単な説明】
【００１３】
【図１】この発明に係る電気洗濯機の外観図である。
【図２】この発明に係る電気洗濯機の縦断面概略図である。
【図３】この発明に係る内槽の外観図である。
【図４】第１の実施形態に係るリフターの外観図である。
【図５】背面から見たリフターの部分拡大図である。
【図６】リフターへの給水状態を示す図である。
【図７】リフターからの排水状態を示す図である。
【図８】第２の実施形態に係るリフターの外観図である。
【図９】第３の実施形態に係るリフターの外観図である。
【図１０】第４の実施形態に係るリフターの外観図である。
【発明を実施するための形態】
【００１４】
以下、本発明の実施の形態を図１から図１０を参照して説明する。図１から図７が第１の実施形態を説明する図、図８が第２の実施形態を説明する図、図９が第３の実施形態を説明する図、図１０が第４の実施形態を説明する図である。なお、同一の部材または部位は同一符号を以って示し、重複した説明は省略する。
【００１５】
（第１の実施形態）
図１から図７を参照して、本発明の第１の実施形態に係る電気洗濯機について説明する。まず、図１から図４を参照して、第１の実施形態に係る電気洗濯機の構成について説明する。
【００１６】
図１は、第１の実施形態に係る電気洗濯機の外観図であり、図１（ａ）が斜視図、図１（ｂ）が開扉状態の斜視図である。図２は、第１の実施形態に係る電気洗濯機の縦断面概略図である。図３は、内槽の外観図であり、図３（ａ）が平面図、図３（ｂ）が正面図、図３（ｃ）が右側面図、図３（ｄ）がＢ−Ｂ断面図、図３（ｅ）がＡ−Ａ断面図である。図４は、リフターの外観図であり、図４（ａ）が斜視図、図４（ｂ）が断面図、図４（ｃ）が左側面図、図４（ｄ）が平面図、図４（ｅ）が背面図である。図５は、背面から見たリフターに部分拡大図である。図６は、リフターへの給水状態を示す図であり、図６（ａ）が給水前の状態図、図６（ｂ）が給水中の状態図、図６（ｃ）が給水後の状態図である。図７は、リフターからの排水状態を示す図であり、図７（ａ）は排水前の状態図、図７（ｂ）および図７（ｃ）は排水中の状態図である。
【００１７】
最初に、図１を参照して、本発明の第１の実施形態に係る電気洗濯機の外観構成について説明する。
【００１８】
図１において、符号１で総括的に示す電気洗濯機は、箱形の筐体１０内に図示しない円筒形のドラム槽を横姿勢で配置したドラム式の電気洗濯機である。この実施形態では、筐体１０を、箱形の筐体１０の骨格を構成するベース筐体１１と、このベース筐体１１の前面を覆うフロントカバー１２と、ベース筐体１１の上面を覆う天板１３とを含んで構成されている。
【００１９】
フロントカバー１２は、前パネル部材１４と、この前パネル部材１４の上部に設けられ、樹脂材料で形成されたパネル部材１５とで構成され、前パネル部材１４とパネル部材１５は、図示しないネジ等を介してベース筐体１１に取り付けられる。
【００２０】
前パネル部材１４には、円形に開口される衣類投入口２０が形成され、この衣類投入口２０を覆うように円形の開閉扉３０が、図示しない蝶番機構と開閉ロック機構を介して開閉可能に取り付けられる。
【００２１】
開閉扉３０は、リング状の前枠３１と、この前枠３１の裏面を覆うように取り付けられる図示しない後枠と、前枠３１と後枠との間で保持される透明窓３２とで構成され、透明窓３２は、衣類投入口２０内に嵌り込むように、内側に大きく張り出して形成されている（図２参照）。また、開閉扉３０は、リング状の前枠３１と連続するように形成されたハンドル３３を備えている。
【００２２】
パネル部材１５は、正面から見て左右に２分割して構成されており、正面左側を洗剤ケース１６、正面右側を操作パネル１７としている。
【００２３】
洗剤ケース１６は、筐体１０に対して開閉可能に設けられており、内部に洗剤投入口１６ａを備えている。
【００２４】
次に、図２を参照して、本発明の第１の実施形態に係る電気洗濯機の概略内部構成について説明する。
【００２５】
図２において、電気洗濯機１は、ドラム槽１００と、回転機構１１０と、排水弁１２０と、給水水路１３０と、排水水路１４０と、排水口１５０と、突起部２００（以下、リフターという）を備えるとともに、この電気洗濯機１を統括的に制御する制御部（図示省略）とを備えている。
【００２６】
ドラム槽１００は、外槽１０１と内槽１０２とから構成され、回転機構１１０により内槽１０２が回転するように構成されている。また、外槽１０１と内槽１０２との間には、洗濯水あるいはすすぎ水が溜められるようになっている。
【００２７】
次に、図３を参照して、内槽の構成について説明する。図３において、内槽１０２は、胴板１０３と底板１０４と枠体１０５とで、その骨格が構成される。
【００２８】
内槽１０２の内側には、その深さ方向を長手方向とし、この長手方向に位置する面が左右の側面となるように配置された複数のリフター２００が設けられている。このリフター２００は、内槽１０２の回転に伴って衣類を上方へ持ち上げるようになっている。なお、本実施形態では、３個のリフター２００が等間隔で設けられている。
【００２９】
胴板１０３は、複数の突起１０７とこの突起１０７の周囲に形成された小穴１０８とからなるパターン１０９を備えている。突起１０７は、洗浄工程において、内槽１０２の回転に伴って衣類と接触し、汚れを落とすのに使用される。また、小穴１０８は、洗浄工程およびすすぎ工程における水の取り込みや、脱水工程における水の排出などに使用される。
【００３０】
次に、図１から図３を参照して、電気洗濯機１の動作について説明する。電気洗濯機１の洗濯工程は、主に洗浄、すすぎ、脱水の３工程からなる。以下、一例として、洗浄工程での動作について説明する。
【００３１】
まず、ハンドル３３を操作して開閉扉３０を開き、衣類投入口２０から洗濯物を内槽１０２内に投入して開閉扉を閉める。開閉扉３０を閉めた後、操作パネル１７を操作して電源投入および洗濯コースを選択すると、制御部は、衣類の量を自動的に判別するとともに、給水量と洗剤量、洗濯時間等を決定する。
【００３２】
給水量が決定すると、制御部は給水弁（図示省略）を開いて水の供給を開始するように制御し、給水水路１３０を介して水の供給を開始する。供給された水は、洗剤投入口１６ａから投入された洗剤と混ざって洗濯水を生成し、この洗濯水が外槽１０１と内槽１０２の間に溜められる。
【００３３】
給水量が決定された量に達すると、制御部は給水弁を閉じて水の供給を止めるように制御するとともに、内槽１０２を回転させるように制御する。そして、内槽１０２の回転に伴って、外槽１０１と内槽１０２の間に溜められた洗濯水が小穴１０８から内槽１０２内に供給されるとともに、リフター２００により洗濯物を上方へ持ち上げ、持ち上げた洗濯物を下方へ落とすようにすることで、洗濯物の洗浄（洗浄工程）を行う。
【００３４】
洗濯物の洗浄が終了すると、制御部は排水弁を開いて洗濯水を排水するように制御し、洗浄工程において内槽１０２の下方１０２ａに溜まる洗濯水を、排水水路１４０を経由して排水口１５０から排水される。なお、洗浄工程の途中で内槽１０２の下方１０２ａに洗濯水が溜まった場合も、同様にして排水が行われる。
【００３５】
この実施形態に係る電気洗濯機１の大きな特徴の一つは、リフターの構成にある。この特徴的なリフターの構成について、図４および図５を参照して説明する。
【００３６】
図４において、リフター２００は、側面２０１に形成された給水部２１０と、上面２０２に形成された排水部２２０とを備え、全体として、略台形状の外観を備えている。
【００３７】
側面２０１（左側面２０１ａと右側面２０１ｂ）には、図４（ｂ）で示すように、２段の帯状の溝部２１１が形成されており、この帯状の溝部２１１に形成された複数の給水穴２１２（図４（ａ）参照）により、給水部２１０（左側給水部２１０ａと右側給水部２１０ｂ）が構成されている。
【００３８】
上面２０２には、複数の小穴からなる排水部２２０が設けられている。この排水部２２０は、リフター２００の長手方向に沿って配置された２つの小穴列２２１（左回転用排水部２２１ａと右回転用排水穴２２１ｂ）で構成されており、左回転用排水部２２１ａと右回転用排水穴２２１ｂは、その位置が互い違いとなるように配置されている。
【００３９】
リフター２００の内部は中空状に形成されており、この中空状の内部を２室に仕切る仕切板２３０を有し、仕切板２３０は、左回転用排水部２２１ａと右回転用排水部２２１ｂを仕切るように配置されている。
【００４０】
つまり、実施形態に係るリフターの特徴は、リフター２００の左側面２０１ａおよび右側面２０１ｂに、溝部２１１とこの溝部２１１に形成された複数の給水穴２１２とからなる給水部２１０を設けた構成にある。
【００４１】
このような構成とすることにより、内槽１０２の回転に伴い、給水部２１０を介してリフター２００の内部に洗濯水あるいはすすぎ水を給水する際、溝部２１１にも水が溜まるので、給水穴２１２からリフター２００の内部に直接給水される水に加え、溝部２１１に溜まった水も給水穴２１２を介してリフター２００の内部に供給されるので、リフター２００の側面に給水穴のみが形成された従来の電気洗濯機と比べ、給水効率を向上させることができる。
【００４２】
さらに、給水部２１０を左側面２０１ａおよび右側面２０１ｂに設けているので、左方向（時計回り）および右方向（反時計回り）の何れの回転方向でも給水効率を向上させることができる。
【００４３】
また、この実施形態に係る電気洗濯機１の大きな特徴の他の一つは、リフター２００の上面２０２に形成される排水部２２０を、左回転用排水部２２１ａと右回転用排水部２２１ｂに分けて形成し、この左回転用排水部２２１ａと右回転用排水部２２１ｂを互い違いに配置するとともに、左回転用排水部２２１ａと右回転用排水部２２１ｂを仕切るように配置される仕切板２３０の形状を、波形形状とした構成にある。
【００４４】
このような構成とすることにより、図５で示すように、左回転用排水部２２１ａおよび右回転用排水部２２１ｂを構成する小穴の周囲が半円状に囲まれるので、リフター２００の内部に供給された洗濯水が、仕切板２３０に当たり矢印Ａで示すように小穴へ導かれる。このため、リフター２００から排水される水の量が増えるとともに、上方から下方へシャワー状に排水され、排水された洗濯水が洗濯物をたたくようにして濡らす状態、即ち、洗濯物をたたき洗いするような状態となるので、リフター２００から排水される洗濯水を洗浄工程で利用することができる。
【００４５】
次に、図６および図７を参照して、リフター内部への給水動作およびリフター内部からの排水動作について説明する。
【００４６】
図６（ａ）において、内槽１０２と外槽１０１（図２参照）の間に貯留している洗濯水は、胴板１０３に形成された小穴１０８等を介して内槽の内部に給水される。給水された洗濯水は、内槽の内部底面に徐々に溜まり、所定の水位、例えば、図６（ｂ）で示すように、リフター２００の左右両側面に形成された給水部２１０（左側給水部２１０ａと右側給水部２１０ｂ）が隠れるくらいの水位に達すると、左側給水部２１０ａおよび右側給水部２１０ｂを介して、リフター２００の内部、即ち、仕切板２３０で仕切られた２室（第１貯水室２４０と第２貯水室２５０）のそれぞれに白抜き矢印方向から洗濯水が給水される。
【００４７】
第１貯水室２４０および第２貯水室２５０に洗濯水が給水された状態で、内槽１０２を矢印Ｂ方向（右方向／反時計回り）へ回転させると、図６（ｃ）で示すように、リフター２００が上方へ持ち上がるため、第１貯水室２４０に給水された洗濯水の一部が、左側給水部２１０ａを介して白抜き矢印方向に排水される。
【００４８】
同時に、第２貯水室２５０に給水された洗濯水は、図６（ｃ）で示すように、リフター２００の内部中央に配置された仕切板２３０の方向へ移動する。
【００４９】
図６（ｃ）の状態から、更に内槽１０２を矢印Ｂ方向に回転させると、図７（ａ）で示すように、第１貯水室２４０に貯水された洗濯水は、左側給水部２１０ａを介して白抜き矢印方向に排水され、その残量が更に減った状態となる。
【００５０】
この状態から、更に内槽１０２を矢印Ｂ方向に回転させると、図７（ｂ）で示すように、第１貯蔵室２４０は、給水された洗濯水が全て左側給水部２１０ａを介して排水され、第１貯水室２４０が空となる。同時に、第２貯水室２５０に貯水された洗濯水は、その一部がリフター２００の上面２０２に形成された排水部２２１（右回転用排水部２２１ｂ）を介して白抜き矢印方向、即ち、内槽１０２の内部に向けて排出された状態となる。
【００５１】
この状態から、更に、内槽１０２を矢印Ｂ方向へ回転させると、図７（ｃ）で示すように、第２貯水室２５０に貯水された洗濯水が上方から下方に向けてほぼ垂直に排水、即ち、白抜き矢印方向へシャワー状に排水され、排水された洗濯水は、内槽１０２に投入された衣類を叩くように衣類を濡らすようになっている。
【００５２】
このように、本実施形態によれば、通常の衣類を濡らす工程に加え、内槽１０２の回転に伴って、リフター２００の上面２０２から衣類に向けて洗濯水を供給することができるので、短時間で衣類をまんべんなく濡らすことができる。特に、本実施形態では、リフター２００の上面２０２から排出される洗濯水がほぼ垂直に衣類に当たるので、洗浄工程におけるたたき洗いの効果を得ることができる。
【００５３】
なお、上記実施形態では、洗濯水の給水動作および排水動作について説明したが、すすぎ水の給水動作および排水動作でも同様の動作となる。特に、すすぎ水の排水動作においては、洗濯水の排水動作と同様、短時間で衣類をまんべんなく濡らすことができるので、少量の水ですすぎ工程を行うことができる。
【００５４】
また、上記実施形態では、内槽１０２を矢印Ｂ方向（右方向／反時計回り）に回転させた状態で説明したが、矢印Ｃ方向（左方向／時計回り）に回転させた状態でも同様の作用効果を得ることができる。
【００５５】
（第２の実施形態）
次に、図８を参照して、本発明に係る電気洗濯機の第２の実施形態について説明する。図８は、第２の実施形態に係るリフターの外観図であり、図８（ａ）が平面図、図８（ｂ）が背面図である。
【００５６】
この第２の実施形態に係る電気洗濯機は、リフターの構成のみが上述した第１の実施形態と相違しており、他の部分の構成および動作については、上述した第１の実施形態と同一の構成を備えている。以下、第２の実施形態に係るリフターの構成について説明し、その他の部分については、詳細な説明を省略する。
【００５７】
図８において、この実施形態に係るリフター２００ａは、上面２０２に形成される排水穴２６０の形状を、上面２０２の幅一杯に形成されたトラック形状とし、このトラック形状の排水穴２０６を左右に仕切るように、リフター２００ａの背面に仕切板２３０ａを設けた構成を特徴としている。
【００５８】
このような構成とすることで、上述した第１の実施形態と同様の効果を得ることができる。
【００５９】
なお、リフター２００ａには図示されていないが、上述した第１の実施形態と同様、リフター２００ａの左右側面には、帯状の溝部２１１とこの溝部２１１に形成された複数の給水穴２１２とからなる給水部２１０（左側給水部２１０ａ、右側給水部２１０ｂ）を備えている。
【００６０】
（第３の実施形態）
次に、図９を参照して、本発明に係る電気洗濯機の第３の実施形態について説明する。図９は、第３の実施形態に係るリフターの外観図であり、図９（ａ）が平面図、図９（ｂ）が背面図である。
【００６１】
この第３の実施形態に係る電気洗濯機は、リフターの構成のみが上述した第１の実施形態と相違しており、他の部分の構成および動作については、上述した第１の実施形態と同一の構成を備えている。以下、第３の実施形態に係るリフターの構成について説明し、その他の部分については、詳細な説明を省略する。
【００６２】
図９において、この実施形態に係るリフター２００ｂは、上面２０２に形成される２列の排水部（左回転用排水部２２１ａ、右回転用排水部２２１ｂ）が隣り合うように配置し、この左回転用排水部２２１ａと右回転用排水部２２１ｂを左右に仕切るように、リフター２００の背面に仕切板２３０ａを設けた構成を特徴としている。
【００６３】
このような構成とすることで、上述した第１の実施形態と同様の効果を得ることができる。
【００６４】
なお、リフター２００ｂには図示されていないが、上述した第１の実施形態と同様、リフター２００ｂの左右側面には、帯状の溝部２１１とこの溝部２１１に形成された複数の給水穴２１２とからなる給水部２１０（左側給水部２１０ａ、右側給水部２１０ｂ）を備えている。
【００６５】
（第４の実施形態）
次に、図１０を参照して、本発明に係る電気洗濯機の第４の実施形態について説明する。図１０は、第４の実施形態に係るリフターの外観図であり、図１０（ａ）が斜視図、図１０（ｂ）が断面図である。
【００６６】
この第４の実施形態に係る電気洗濯機は、リフターの構成のみが上述した第１の実施形態と相違しており、他の部分の構成および動作については、上述した第１の実施形態と同一の構成を備えている。以下、第４の実施形態に係るリフターの構成について説明し、その他の部分については、詳細な説明を省略する。
【００６７】
図１０において、この実施形態に係るリフター２００ｃは、左右側面にそれぞれ５段の帯状の溝部２１１を形成し、各溝部２１１にそれぞれ給水穴２１２を配置した構成を特徴としている。
【００６８】
このような構成とすることで、リフターの左右側面に多数の給水穴を形成することができるので、給水効率をより向上させることができる。
【００６９】
なお、リフター２００ｃの左右側面の構成以外の各部構成および動作については、上述した第１の実施形態と同一であるため、詳細な説明は省略する。
【符号の説明】
【００７０】
１…電気洗濯機、１０…筐体、１１…ベース筐体、１２…フロントカバー、１３…天板、１４…前パネル部材、１５…パネル部材、１６…洗剤ケース、１６ａ…洗剤投入口、１７…操作パネル、２０…衣類投入口、３０…開閉扉、３１…前枠、３２…透明窓、３３…ハンドル、１００…ドラム槽、１０１…外槽、１０２…内槽、１０３…胴板、１０４…底板、１０５…枠体、１０７…突起、１０８…小穴、１０９…パターン、１１０…回転機構、１２０…排水弁、１３０…給水水路、１４０…排水水路、１５０…排水口、２００…リフター、２００ａ…リフター（突起部）、２０１…側面、２０１ａ…左側面、２０１ｂ…右側面、２０２…上面、２１０…給水部、２１０ａ…左側給水部、２１０ｂ…右側給水部、２１１…溝部、２１２…給水穴、２２０…排水部、２２１…小穴列、２２１ａ…左回転用排水部、２２１ｂ…右回転用排水穴、２３０…仕切板、２３０ａ…仕切板、２４０…第１貯水室、２５０…第２貯水室。
【図１】
2013074964.tif 000003
【図２】
2013074964.tif 000004
【図５】
2013074964.tif 000005
【図６】
2013074964.tif 000006
【図７】
2013074964.tif 000007
【図８】
2013074964.tif 000008
【図９】
2013074964.tif 000009
【図３】
2013074964.tif 000010
【図４】
2013074964.tif 000011
【図１０】
2013074964.tif 000012